(57)【要約】【課題】改良型吸入器及び改良型方法を提供すること。【解決手段】本発明は、吸入器及びキャリヤから製剤を吸入する方法に関する。キャリヤは、製剤を容器の中に入れた状態で収容しており、空気流によって振動状態になる。好ましくは粉末状の製剤の改良され又は規定された分配及び噴霧化が得られるが、その理由は、キャリヤが規定された仕方で振動状態になり、製剤が３乃至５個の穴を備えたカバー要素により計量投与されると共に／或いは空気が流れてキャリヤと関連した羽根に当たって少なくとも実質的にキャリヤの平らな面の上でのみキャリヤを通過して流れることにある。【選択図】図１
2018167076.tif 000002
【特許請求の範囲】
【請求項１】
好ましくはベルト、ストリップ、ブリスタ及び／又はフィルム、特にブリスタの形態をしたキャリヤ（３）からの調剤（２）の吸入のための吸入器（１）であって、前記キャリヤ（３）が前記調剤（２）の送り出し及び／又は分散の目的で又は前記調剤（２）の送り出し中及び／又は分散中における空気流（Ｌ）の衝撃によって振動状態（Ｓ）になる、吸入器において、
前記キャリヤ（３）は、一方の側のみがばね部分（４）によって動くことができるように保持され、前記ばね部分（４）は、振動させるためにばね弾性によって変形可能であり、
前記吸入器（１）は、前記キャリヤ（３）が規定された運動、規定された振幅及び／又は規定された振動数で振動状態（Ｓ）になるよう具体化され、
前記キャリヤ（３）は、前記キャリヤ（３）の長手方向軸線に実質的に平行な前記ばね部分（４）と反対側の自由端のところが前記空気流（Ｌ）の衝撃を受けるようになっていると共に／或いは前記空気流（Ｌ）の衝撃を受けるようになった斜めのフィン（５）が前記キャリヤ（３）と関連している、吸入器。
【請求項２】
前記ばね部分（４）は、前記キャリヤが前記空気流（Ｌ）に対して直角に動くことができるが前記空気流（Ｌ）の方向においてはねじれに関して剛性であるように前記キャリヤ（３）を保持している、請求項１記載の吸入器。
【請求項３】
前記キャリヤ（３）は、前記ばね部分（４）の付近に位置する又は前記ばね部分（４）によって形成された軸線（Ａ）回りに回動可能であり又は動くことができる、請求項１又は２記載の吸入器。
【請求項４】
前記ばね部分（４）は、互いに平行に延びる２本のばねバー（４Ａ）を含む、請求項１〜３のうちいずれか一に記載の吸入器。
【請求項５】
前記ばね部分（４）は、葉状片の形態をしていると共に開口部、特にスロット又は長手方向スロット（４Ｂ）を有する、請求項１〜４のうちいずれか一に記載の吸入器。
【請求項６】
前記キャリヤ（３）は、少なくとも実質的に自由端又は前記ばね部分（４）と反対側の端からのみ前記空気流（Ｌ）の衝撃を受けることができると共に／或いは前記空気流（Ｌ）は、少なくとも実質的に前記キャリヤ（３）の平べったい側部に平行にのみ且つ／或いは少なくとも実質的に前記キャリヤ（３）の平べったい側部上でのみ前記キャリヤ（３）に沿って流れる、請求項１〜５のうちいずれか一に記載の吸入器。
【請求項７】
前記空気流（Ｌ）の流れを当てることができる前記斜めのフィン（５）は、前記キャリヤ（３）の自由端に取り付けられ且つ／或いは前記吸入器（１）の空気入口（１Ｂ）に隣接して設けられている、請求項１〜６のうちいずれか一に記載の吸入器。
【請求項８】
前記吸入器（１）は、前記キャリヤ（３）又は前記調剤の入った保持チャンバ（３Ａ）を特に好ましくは穿通によって開く開封装置（７）を有する、請求項１〜７のうちいずれか一に記載の吸入器。
【請求項９】
前記開封装置（７）は、好ましくは手動で変形可能なハウジング壁によって形成されると共に／或いは弾性的に且つ／或いはリセット可能に取り付けられた少なくとも１つの穿通要素（７Ａ）を含む、請求項８記載の吸入器。
【請求項１０】
前記吸入器（１）は、前記キャリヤ（３）の前記振動状態（Ｓ）を制限する少なくとも１つの停止部（８，９）を有し、前記少なくとも１つの停止部（８，９）は、特に吸入器（１）のハウジング（６）によって形成されている、請求項１〜９のうちいずれか一に記載の吸入器。
【請求項１１】
前記キャリヤ（３）又は前記キャリヤ（３）のカバー（３Ｄ）は、少なくとも部分的に覆い具（１０）によって覆われ、前記覆い具は、続く前記調剤（２）の計量投与のために前記キャリヤ（３）又は前記カバー（３Ｄ）を開くよう手動で開放でき又は取り外し可能である、請求項１〜１０のうちいずれか一に記載の吸入器。
【請求項１２】
好ましくはベルト、ストリップ、ブリスタ及び／又はフィルム、特にブリスタの形態をしたキャリヤ（３）からの調剤（２）の吸入のための吸入器（１）であって、前記キャリヤ（３）を前記調剤（２）の送り出し及び／又は分散の目的で又は前記調剤（２）の送り出し中及び／又は分散中における空気流（Ｌ）の衝撃によって振動状態（Ｓ）にすることができる、吸入器において、
前記キャリヤ（３）は、カバー（３Ｄ）及び覆い具（１０）を有し、前記カバー（３Ｄ）は、前記キャリヤ（３）が閉じられたときに前記覆い具（１０）又は前記覆い具（１０）の覆い要素（１０Ａ）によって覆われる少なくとも１つの開口部を有する、吸入器。
【請求項１３】
前記カバー（３Ｄ）は、少なくとも部分的に前記覆い具（１０）によって覆われ、続く前記調剤（２）の計量投与のために前記キャリヤ（３）又は前記カバー（３Ｄ）を開くよう前記覆い具（１０）を手動で開放でき又は取り外すことができる、請求項１２記載の吸入器。
【請求項１４】
前記覆い具（１０）は、折り返しカバー要素（１０Ａ）及び好ましくは前記カバー要素（１０Ａ）を前記カバー（３Ｄ）から引き離すための関連グリップ要素（１０Ｂ）を有し、特に、前記カバー要素（１０Ａ）及び／又は前記グリップ要素（１０Ｂ）は、吸入器（１）から、特に前記吸入器（１）のマウスピース又は出口（１Ａ）から突き出ている、請求項１３記載の吸入器。
【請求項１５】
好ましくは前記調剤（２）の入った容器（３Ａ）を覆う前記カバー（３Ｄ）は、前記開口部として複数個の穴（３Ｅ）を有し、該穴（３Ｅ）は、前記キャリヤ（３）が閉じられると、前記覆い具（１０）又は前記覆い具（１０）の覆い要素（１０Ａ）によって覆われ、前記穴は、好ましくは、前記容器（３Ａ）の反対側の端領域に設けられている、請求項１２〜１４のうちいずれか一に記載の吸入器。
【請求項１６】
前記吸入器（１）は、キャリヤ（３）が収納された１回使用型吸入器として具体化されている、請求項１〜１５のうちいずれか一に記載の吸入器。
【請求項１７】
キャリヤ（３）から調剤（２）を送り出すと共に特に噴霧化するための方法であって、前記キャリヤ（３）は、可撓性であり、平べったく、ベルト、ストリップ、ブリスタ及び／又はフィルムの形態をしており、前記キャリヤ（３）の少なくとも一部は、前記調剤（２）を放出すると共に／或いは分散させるために空気流（Ｌ）の衝撃を直接受けることにより動かされる、方法において、
前記キャリヤ（３）は、規定された仕方で振動し、前記空気流（Ｌ）は、前記キャリヤ（３）と関連したフィン（５）に流れて当たると共に／或いは少なくとも実質的に前記キャリヤ（３）の平べったい側部だけを流通すると共に／或いは少なくとも実質的に自由端からのみ前記キャリヤ（３）に流れて当たると共に／或いは、
前記調剤（２）は、特に好ましくは直径が０．５ｍｍ〜３ｍｍの数個、特に３乃至５個の穴（３Ｅ）を備えた前記キャリヤ（３）のカバー（３Ｄ）を通って放出され、前記穴（３Ｅ）を閉鎖し又は覆っているカバー要素（１０Ａ）が前記調剤（２）の送り出し前に、特にグリップ要素（１０Ｂ）を引くことによって前記カバー（３Ｄ）から手動で引き離される、方法。
【発明の詳細な説明】
【技術分野】
【０００１】
本発明は、請求項１の前提部に記載された吸入器及び請求項１７の前提部に記載されたキャリヤから好ましくは粉末状の調剤を送り出す、特に噴霧化する方法に関する。
【０００２】
本発明は、特に、好ましくは粉末状の調剤の送り出し又は吸入のための吸入器、即ち、粉末吸入器に関する。しかしながら、調剤は、理論上、液相の状態で、分散液として又は別の流動化可能な形態で存在しても良い。
【０００３】
調剤は、特に、治療薬又は薬剤である。特に、調剤はかくして、少なくとも１種類の有効物質を含み又はこれから成る。かくして、調剤は、特に、内科療法又は他の治療目的に用いられる。
【０００４】
本発明では、調剤は、キャリヤ内に又はキャリヤによって保持され、特に個々の投与分の状態にあらかじめ計量されている。
【背景技術】
【０００５】
本発明の出発点をなす国際公開第２００８／０３４５０４（Ａ２）号パンフレットは、調剤をキャリヤから吸入するための吸入器を開示し、調剤の送り出し及び／又は分散目的で又は調剤の送り出し及び／又は分散中、キャリヤの少なくとも一部は、空気流によって振動状態になる。キャリヤは、特に、平べったいブリスタ型又はフィルム状構造のものである。国際公開第２００８／０３４５０４（Ａ２）号パンフレットの図３は、キャリヤが空気流によって直接動かされ又は振動状態になる実施形態を示している。この場合の問題は、空気流がキャリヤの平べったい側部に対して直角にキャリヤに当たってキャリヤが自由にばたつく（ひらひらと動く）ことにある。
【先行技術文献】
【特許文献】
【０００６】
【特許文献１】国際公開第２００８／０３４５０４（Ａ２）号パンフレット
【発明の概要】
【発明が解決しようとする課題】
【０００７】
本発明は、特に粉末状の調剤の効果的な送り出し特に噴霧化を簡単な仕方で達成することができると共に／或いは特に使い捨て吸入器の形態の簡単且つ／或いは安価な構造の実現を可能にするよう改良型吸入器及び改良型方法を提供することを課題としている。
【課題を解決するための手段】
【０００８】
上述の課題は、請求項１若しくは請求項１２記載の吸入器又は請求項１７記載の方法によって解決される。有利な別の特徴は、従属形式の請求項の内容である。
【０００９】
提案によれば、吸入器は、特に空気流によって直接動かされ又は振動状態になることができるキャリヤを有する。特に好ましくは、キャリヤは、調剤の入った容器を有する。変形例として、キャリヤは、特に互いに異なる調剤の入った複数個、好ましくは２つの容器を有しても良い。
【００１０】
キャリヤは、好ましくは、ばね部分によって可動的に保持される。キャリヤは、好ましくは、調剤を送り出すと共に／或いは分散させるために空気流によって直接動くことができ、特に、振動状態になるようになっている。
【００１１】
本発明の一観点によれば、キャリヤは、規定された仕方で、特に規定された運動、規定された振幅及び／又は規定された振動数で振動状態になることができ又は振動する。これは、改良され又は規定された送り出し及び噴霧化又は分散に寄与する。
【００１２】
好ましくは、「規定された運動」という表現は、或る特定の又は指定された自由度のみを有する運動を意味している。特に好ましくは、キャリヤは、指定された軸線若しくはばね部分によって形成された軸線回りにのみ少なくとも実質的に回転可能であり、或いは回動運動の形態でのみ動くことができ、キャリヤの運動経路は、特に一平面内に位置し、平べったいキャリヤの広がりの主要な平面は、少なくとも実質的に常時、この運動経路の面に垂直に延びる。
【００１３】
「規定された振幅」という表現は、好ましくは、必要ならば一方の側にのみ設けられ、即ち、一運動方向にのみ作用する、例えば停止部の形態をした制限が設けられた状態でキャリヤの運動又は振幅に対する制限を意味している。
【００１４】
「規定された振動数」という表現は、好ましくは、キャリヤが使用中に振動する制限された回数又は回数範囲を意味している。特にユーザが吸息することによって空気流が生じたときに互いに異なる空気流を使用中、生じさせることができるので、振動の指定された回数範囲は、好ましくは、指定された流量又は指定された流量範囲の関数として理解されるべきである。
【００１５】
キャリヤ又はばね部分は、好ましくは、一方の側のみ固定され又は保持され、より好ましくは、クランプされ又は取り付けられる。キャリヤ又はばね部分は、他方の側が自由に終端し又は他方の側が振動する（自由に振動する）ことができるように終端している。
【００１６】
本発明の別の観点では、ばね部分は、キャリヤが好ましくは空気流に対して直角に動くことができるが空気流の方向においては少なくとも実質的にねじれに関して剛性であるようにキャリヤを保持している。これは、キャリヤの規定された運動、規定された振幅及び／又は規定された振動数に寄与する。
【００１７】
本発明の別の観点によれば、ばね部分は、好ましくは、２本の互いに平行に延びるばねバー及び／又は開口部、特に長円形のスロットを有する。これは、キャリヤの規定された運動、規定された振幅、及び／又は規定された振動数に寄与する。
【００１８】
本発明の別の観点によれば、キャリヤは、少なくとも実質的に自由端からのみ又はばね部分と反対側の端からのみ空気流によって衝撃を受けるのが良い。これは、特に吸入器内における不必要な乱流を回避することができ又は最小限に抑えることができるので、調剤の最適送り出しを保証するのに役立つ。代替的に又は追加的に、これは、キャリヤの規定された振動に寄与する。
【００１９】
本発明の別の観点によれば、空気流の衝撃を受けることができる斜めのフィンが好ましくはキャリヤと関連する。特に好ましくは、フィンは、キャリヤの自由端に取り付けられると共に／或いは吸入器の空気入口に隣接して設けられる。これは、キャリヤを振動させることを目的とする、コンパクトな構成並びにキャリヤ上への規定された空気流及び／又はキャリヤに対する効果的な作用の実現を可能にする。
【００２０】
本発明の別の観点によれば、キャリヤ又はキャリヤの覆いは、好ましくは、少なくとも部分的に覆い具によって覆われ、覆い具は、続く調剤の送り出しのためにキャリヤ又はカバーを開くよう手動で開放でき又は取り外し可能である。特に好ましくは、覆い具は、覆い具のグリップ要素又はカバー要素を引くことによって開かれ又は取り外される。このように、カバーにあらかじめ設けられている孔、開口部又は穴を特に好ましくは露出させることができる。これは、調剤の規定された送り出し又は噴霧化に寄与する。
【００２１】
提案によれば、調剤は、特にキャリヤ内の対応の容器から特に効果的に送り出され、分散されると共に／或いは放出可能である。
【００２２】
調剤は、キャリヤを動かすために空気流を用いて又は所望ならば別の空気流を用いて送り出し可能である。
【００２３】
本発明では、「空気」及び「空気流」という用語は、好ましくは、何らかの別のガス又は別のガスの流れを含むものとして広義に理解されるべきである。しかしながら、「空気」という用語は、空気が通常、キャリヤを駆動し又は動かすための気体として且つ／或いはキャリヤからの調剤の放出後の調剤の運搬のため又は調剤を分散させるための運搬媒体として使用されるので、以下において一貫して用いられる。好ましくは、空気流は、吸入中又は吸息によって生じる。したがって、これは、特に受動型の吸入器である。
【００２４】
特に好ましくは、吸入器は、１回投与分のみの送り出し又は投与又は吸入向きに構成されている。特に好ましくは、この吸入器は、かくして、使い捨て器具である。しかしながら、吸入器は、変形例として、多数回の使用向きに且つ／或いは調剤の多数の投与分を別々に送り出すために設計されても良い。例えば、この場合、複数個の容器が設けられ、かかる複数個の容器を互いに別個独立に開くのが良い。
【００２５】
上述の観点並びに本明細書の残部及び特許請求の範囲の記載から生じる観点は又、互いに別個独立に具体化できるが、任意所望の組み合わせの状態でも実現可能である。
【００２６】
本発明の個々の観点、個々の特徴、個々の特性及び個々の利点は、特許請求の範囲の記載及び図面を参照して行われる好ましい実施形態についての以下の説明から明らかになろう。
【図面の簡単な説明】
【００２７】
【図１】第１の実施形態としての提案された吸入器の概略断面図である。
【図２】ＩＩ−ＩＩ線に沿って取った図１の吸入器の概略横断面図である。
【図３】第２の実施形態としての提案された吸入器の概略断面図である。
【図４】キャリヤの容器を覆ったカバーが閉じられた状態の第３の実施形態としての提案された吸入器の概略断面図である。
【図５】カバーが開かれた状態の図４の吸入器の概略断面図である。
【発明を実施するための形態】
【００２８】
図中、同一の参照符号は、たとえ説明の繰り返しがない場合であっても、同一又は類似の部分について用いられている。特に、同一又は対応の利点又は特性が得られる。個々の図は、説明又は分かりやすくするために縮尺通りには示されておらず、個々の図は、本発明に関連した重要なコンポーネントに合わせて縮小されている。
【００２９】
図１は、第１の実施形態としての提案された吸入器１の構造を概略的に示している。吸入器１は、好ましくは、携帯可能であると共に／或いは特に純粋に機械的に動作するよう構成されている。
【００３０】
吸入器１は、上述した意味において好ましくは粉末状の調剤２の送り出し又は吸入に役立つ。調剤２は、好ましくは、１回投与分又は複数回投与分の状態にあらかじめ計量されている。
【００３１】
図示の実施形態では、調剤２は、好ましくは、あらかじめ計量され、即ち、吸入器１の外部で１回投与分又は複数回投与分の状態に前もって計量されている。しかしながら、吸入直前まで及び／又は吸入器１内で調剤２を計量することがないようにすることもまた理論的には可能である。
【００３２】
キャリヤ３が調剤２を運び又はこれを用意万端整った状態で保持する。特に、キャリヤ３は、特に１回投与分の調剤２を保持するための少なくとも１つの凹部又は容器３Ａ等を有する。しかしながら、この場合、他の設計上の解決手段も又、採用可能である。例えば、調剤２は、キャリヤ３の表面上に又はこの表面の一領域内に又はこの表面全体にわたって配置され又は分布して設けられるのが良い。
【００３３】
キャリヤ３は、特に、可撓性で平べったいベルト形状、ストリップ形状、ブリスタ型及び／又はフィルム型の構造のものである。このキャリヤは、適当な材料、特にプラスチック、金属箔、複合材料等で作られ又はこれから製造されている。
【００３４】
キャリヤ３は、容器３Ａを１つだけ有しても良く、或いは容器３Ａを複数個有しても良い。各容器３Ａは、必要ならば図１に一例として示されているようにオプションとしてのカバー３Ｄで覆われるのが良い。調剤２を放出するため、カバー３Ｄは、好ましくは、次に開かれ、引き剥がされること等されるのが良い。例えば、カバー３Ｄは、調剤２を放出できるようにするために切断して開かれ、引き裂かれて開かれ、穴あけされ又は他の何らかの仕方で少なくとも部分的に取り外されると共に／或いは開かれるのが良い。特に好ましくは、関連の開封器具７によって行われ、オプションとして、キャリヤ３が動かされるまでは行われない。開封器具については以下に詳細に説明する。
【００３５】
カバー３Ｄ及び／又は１つ又は２つ以上の比較的小径の出口開口部、孔又は穴３Ｅ（図５を比較参照されたい）等により、特に好ましくは、調剤２を比較的ゆっくりと、特に所望の速度でリリースして放出する。
【００３６】
図１に概略的に示されているように、キャリヤ３は、好ましくは、ブリスタ型構造のものである。特に、キャリヤ３は、キャリヤ要素又はベース要素３Ｂを有し、このキャリヤ要素又はベース要素３Ｂは、特に、容器３Ａ又は調剤２のための保持チャンバを形成するために凹部を有し又は熱成形される。保持チャンバ又は容器３Ａは、好ましくは、カバー３Ｄによって覆われる。
【００３７】
特に、キャリヤ要素又はベース要素３Ｂは、フィルム若しくはフィルム材料又は複合材料で形成される。
【００３８】
カバー３Ｄは、好ましくは、キャリヤ要素又はベース要素３Ｂに封着され又は貼り付けられる。
【００３９】
特に好ましくは、カバー３Ｄは、薄いフィルム（薄膜）、例えばプラスチック、アルミニウム、複合材料等で作られる。
【００４０】
特に好ましくは、キャリヤ３又はそのキャリヤ要素／ベース要素３Ｂ及びカバー３Ｄは、ブリスタ又はブリスタパックを形成する。
【００４１】
図示の実施形態では、吸入器１は、好ましくは、１回使用型吸入器として且つ／或いは１回投与分だけを小出しし又は投与するために具体化される。しかしながら、吸入器１は、理論的には、好ましくは１種類の調剤又は種々の調剤の数個の投与分を別個独立に小出しするよう設計された多チャネル型吸入器であっても良い。
【００４２】
吸入器が多チャネル型吸入器として具体化される場合、キャリヤ３は、複数個の別個独立に開放可能な容器３Ａ及び／又は各々が容器３Ａを有するフィンガ状突出部を有するのが良い。互いに異なる容器３Ａ又はフィンガ領域は、特に端領域において互いに連結されても良く、或いは、フィンガ領域又は容器３Ａを互いに別個独立に振動させることができるように連結されても良い。この場合、キャリヤ３は、例えば流れ方向及び／又は振動方向に直角に動くことができ、或いは、特に１つの容器３Ａから次の容器３Ａに切り替えるため又は次のフィンガ領域を特定の容器３Ａからのそれぞれの投与分の提案された振動及び放出を可能にする位置に至らせるために吸入器１中に引き込み可能である。吸入器１は、好ましくは、少なくとも１つのキャリヤ３を有し又は少なくとも１つのキャリヤ３を収容するよう構成されている。
【００４３】
上述したように、キャリヤ３は、複数の投与分のため、場合によっては互いに異なる種類の調剤２の複数の投与分のための複数個の容器３Ａを有しても良い。かくして、例えば、空気流Ｌを用いて互いに異なる容器３Ａ内に保持されている２種類の別々の調剤２を一緒に放出し、オプションとして、これらを混合すると共に／或いは患者に少なくとも同時に又は場合によっては順次、即ち、次々に吸入時に供給することが可能である。
【００４４】
図示の実施形態では、キャリヤ３は、好ましくは、吸入器１内にしっかりと保持され又は配置されると共に／或いは交換不能である。したがって、吸入器１は、好ましくは、図示の実施形態ではキャリヤ３を有する。
【００４５】
キャリヤ３は、好ましくは、ばね部分４によって可動的に保持される。特に、キャリヤ３は、その表面の広がりに対して少なくとも実質的に直角に又は垂直に動くことができるようばね部分によって保持される。特に好ましくは、ばね部分４は、キャリヤ３を振動させるためにばね弾性によって変形可能である。代替的に又は追加的に、キャリヤ３は、ばね弾性によって変形可能であるよう構成されても良い。
【００４６】
キャリヤ３又はそのキャリヤ要素若しくはベース要素３Ｂは、好ましくは、形態が少なくとも実質的に平べったく又は主要な表面の広がりを有することを特徴としている（図１に示された記載では図の平面に平行且つ垂直であり又は図１のＩＩ−ＩＩ線矢視断面平面に平行な平面を有することを特徴としている）。
【００４７】
ばね部分４は、少なくとも実質的にキャリヤ３の主要な広がり平面内で又はこれに平行な平面内で延びる。
【００４８】
特に好ましくは、ばね部分４は、軸線（仮想軸線）Ａ（図２を比較参照されたい）を形成し、キャリヤ３は、特に回転によってこの軸線回りに動くことができる。それと同時に、キャリヤ３は、ばね部分４によって案内され又は保持される。軸線Ａは、一定ではなく、特にばね部分４の平面内で変化し又は動くことができ（特に、ばね部分４の材料及び形態に応じて）且つ／或いは他の平面内で並進運動可能である。ばね部分４は、特に、軸線Ａが傾いておらず、平行にのみ動くように特に好ましい構造に鑑みて、具体化される。
【００４９】
ばね部分４は、好ましくは、少なくとも実質的にバー又は葉状片（板ばね）の形態をしている。ばね部分４は、好ましくは、少なくとも実質的にストリップ及び／又はフィルムの形態をしている。
【００５０】
図２の横断面図から理解できるように、ばね部分４は、好ましくは、２つのばね領域又はバー４Ａ及び／又は特にこれらばね領域又はバー相互間に配置された少なくとも１つの開口部、好ましくはスロット又は長手方向スロット４Ｂを有する。試験結果の示すところによれば、高度に規定されたばね及びねじり特性をこのようにして達成することができる。これは、調剤２の規定された送り出し及びキャリヤ３の規定された運動、規定された振幅及び／又は規定された振動数に大きく寄与する。
【００５１】
さらに、開口部は、ばね部分４及びキャリヤ３が端位置に達したときに弁のように流路を閉鎖することができるようにするのを阻止する。もっと正確に言えば、空気は、この場合、開口部を通って流れ続けることができる。
【００５２】
好ましくは、開口部のサイズは、ばね部分４の全領域の少なくとも１０％、特に約２０％以上であると共に／或いはばね部分４の全領域の７０％未満、特に好ましくは５０％未満である。
【００５３】
図示の実施形態では、開口部は、好ましくは、スロットの形態をしている。しかしながら、開口部は、これとは異なる形状のものであっても良い。
【００５４】
さらに、多数個の開口部が設けられても良い。
【００５５】
ばね部分４は、別個の材料片によって形成されても良く、或いは、第１の実施形態において示されているように、キャリヤ３のキャリヤ要素又はベース要素３Ｂによって形成されても良い。
【００５６】
ばね部分４は、キャリヤ３と一体に形成されても良く且つ／或いは同じ材料で作られても良い。弾性を向上させるため、ばね部分４の領域の材料は、例えば、より薄い構造のものであっても良く且つ／或いは延伸されても良い。代替的に又は追加的に、ばね部分４の弾性は又、開口部３の対応の配列及び／又はサイズの影響を受ける場合があり或いは定められる場合がある。
【００５７】
代替的に又は追加的に、好ましくは葉状片又は板ばね状のばね部分４は、異なる材料、例えば弾性プラスチック材料、特にポリカーボネート又は金属ばね鋼シートから作られても良い。
【００５８】
キャリヤ３は、好ましくは、接着又は溶接によってばね部分４に取り付けられるが、連結部を形成するための成形又は複合成形の使用も又可能である。一般的に言えば、取り付けは、任意適当な方法によって実施できる。
【００５９】
図示の実施形態では、好ましくは、ばね部分４は、好ましくは接着、溶接、クランプ等により一端が吸入器１又は吸入器１のハウジング６にしっかりと取り付けられ又は固定される。ばね部分４の他端又は自由端に隣接して、好ましくは、特にその延長部としてキャリヤ３が設けられる。
【００６０】
特に好ましくは、フィン５が図１及び図２に示されているようにキャリヤ３と関連している。フィン５は、好ましくは、キャリヤ３の自由端又はばね部分４から見て遠くに位置する端に取り付けられる。
【００６１】
フィン５は、好ましくは、キャリヤ３の表面広がり及び／又は到来する空気流Ｌの方向に対して傾いている。キャリヤ３の表面広がり又は空気流に対するフィン５の傾きは、好ましくは、少なくとも実質的に３０°〜７０°、特に実質的に４０°〜５０°、最も好ましくは実質的に４５°である。
【００６２】
フィン５は、好ましくは、キャリヤ３と一体に形成され又は特に対応の付形によってキャリヤ材料（同じキャリヤ材料）によって形成される。
【００６３】
変形例として、フィン５は、キャリヤ３に取り付けられる別の材料又は材料片、例えばばね鋼シートで作られても良い。
【００６４】
好ましくは、特に半径が少なくとも１〜２ｍｍの軟質又は丸形の移行部がキャリヤ３とフィン５との間に設けられる。
【００６５】
フィン５は、好ましくは、容器３Ａにできるだけ近接して、即ち、特に容器３Ａのすぐ近くに配置される。
【００６６】
調剤２を放出するため、即ち、調剤２をキャリヤ３又は容器３Ａからリリースするために空気流Ｌによってキャリヤ３を動かすのが良く、特に振動状態にするのが良い。空気流Ｌは、直接的又は間接的にキャリヤ３に作用し又はこれを動かすことができる。
【００６７】
キャリヤ３を振動させるため、好ましくは、ばね弾性によってばね部分４を変形させる。特に、ばね部分４も又、振動する。
【００６８】
好ましくは、空気流Ｌは又、キャリヤ３によって放出された調剤２を特にキャリヤ３の運動の結果として分散させると共に／或いは運搬し、好ましくは、吸入器１のマウスピース又は出口１Ａを通って調剤を放出してこれをユーザ（図示せず）に送り届けるための運搬媒体となる。しかしながら、異なる又は別個の空気流又は上述した意味における他の空気、即ち、異なるガスも又、調剤２のための運搬媒体として使用できる。
【００６９】
図示の実施形態では、空気流Ｌは、ユーザ（図示せず）による吸入又は吸息によって、特に周囲空気の取り込みによって生じる。
【００７０】
入口１Ｂを通って吸入器１又はそのハウジング６内に吸い込まれ又はこの中に流入する空気流Ｌは、先ず最初に、斜めのフィン５に当たる。オプションとしてのフィン５は、空気流Ｌにより生じるキャリヤ３の好ましい横方向運動又は振動Ｓを支援し又は生じさせることができる。
【００７１】
キャリヤ３は、空気流Ｌによって撓んで振動状態になる。運動平面は、好ましくは、図１に提供されている記載では図面の平面内で延びる。特に、キャリヤ３は、ばね部分４により案内され又は軸線Ａ（図２）回りの回転又は回動運動を行う。
【００７２】
容器３Ａ又はカバー３Ｄを開くため、吸入器１は、好ましくは、開封装置７を有する。開封装置７は、特に、カバー３Ｄを穿通するよう構成されている。この目的のため、開封装置７は、好ましくは、少なくとも１つの穿通要素７Ａを有する。
【００７３】
第１の実施形態では、開封装置７又は穿通要素７Ａは、好ましくは、吸入器１又は吸入器１のハウジング６の壁領域、特にハウジング６の上側部品６Ｂによって形成され又はこの上側部品上に配置される。
【００７４】
好ましくは、開封装置７又は穿通要素７Ａ若しくは壁領域は、手動で押し込み可能であり、その結果、カバー要素７Ａは、カバー３Ｄを穿通することができ、この穿通は例えば、例として図１に示されたキャリヤ３の開始又は中央位置で且つ／或いはキャリヤ３又はそのベース要素３Ｂが例えば対向した段部９に当接する端位置でキャリヤ３が撓んだ場合に実施される。
【００７５】
しかしながら、変形例として、もっぱらキャリヤ３の運動又は振動によって容器３Ａ又はカバー３Ｄを開くことも又可能である。この場合、壁領域は、可撓性形態のものである必要はない。これとは異なり、開封装置７又はその穿通要素７Ａは、好ましくは、キャリヤ３が振動したときに、それに従って穿通が自動的に起こるように構成されている。
【００７６】
容器３Ａ又はカバー３Ｄの開放後、キャリヤ３が引き続き振動すると、この運動及び／又は空気流Ｌによって調剤２が放出される。カバー３Ｄの開封に応じて、空気流Ｌも又、調剤２を送り出すために容器３Ａを通って流れることができる。
【００７７】
空気流Ｌは、図１に概略的に示されているように粉末を含んだ空気流Ｐを形成するよう粉末を同伴する。
【００７８】
空気流Ｌ又は粉末含有空気Ｐは、好ましくは、少なくとも実質的にもっぱら、平坦な側部、この場合、キャリヤ３の上側の平坦な側部若しくは覆い側部又は調剤２を放出するキャリヤ３の平坦な側部越しに又はこれに沿って流れる。
【００７９】
粉末含有空気流Ｐは、好ましくは、吸入器１の出口１Ａまで少なくとも実質的に直線をなして流れるのが良く、そして、これにより、かかる空気流は、ユーザ（図示せず）に送り届けられるのが良い。
【００８０】
図示の実施形態では、吸入器１のハウジング６は、好ましくは、下側部品６Ａ及び上側部品６Ｂ又は２つの半部若しくは区分によって構成される。特に好ましくは、ハウジング６は、２つの部品で若しくは２つのシェルで又は２つの半部シェルから形成される。２つの部品、即ち下側部品６Ａ及び上側部品６Ｂは、好ましくは、互いにスナップ嵌めされ、接着され、溶接されると共に／或いは違ったやり方で取り付けられる。変形例として、ハウジング６又はこれら部品６Ａ，６Ｂは、一体に形成されても良く、或いは、特に好ましくはプラスチック射出成形法により作られる押しつぶし可能な部品で作られても良い。しかしながら、他の設計上の解決手段も又、採用可能である。
【００８１】
吸入器１、ハウジング６及び／又はキャリヤ３又は容器３Ａは、好ましくは、構成上、少なくとも部分的に透明である。かくして、ユーザは、吸入器１が既に使用されているかどうか若しくは空になっているかどうか、或いは依然として使用可能であるかどうかを容易に把握することができる。
【００８２】
特に好ましくは、吸入器１は、好ましくは図示の実施形態では、ハウジング６によって且つ／或いは出口１Ａの付近に形成されるマウスピースを有する。したがって、ユーザ（図示せず）は、好ましくは、自分の口を吸入器１に直接当てて吸息することができ、それにより周囲空気を吸い込むと共に空気流Ｌを生じさせることができる。
【００８３】
吸入器１は、好ましくは、約３〜５ｋＰａ、特に好ましくは約４ｋＰａの圧力降下が７０Ｌ／ｍｉｎの空気流Ｌで得られるように構成されている。
【００８４】
吸入器１は、好ましくは、約２０〜１００Ｌ／ｍｉｎの流量向きに設計される。
【００８５】
吸入器１は、好ましくは、特に２０〜１００Ｌ／ｍｉｎの流量で、特に好ましくは実質的に７０Ｌ／ｍｉｎの流量で、振動数が少なくとも実質的に５０〜１００Ｈｚ、特に好ましくは６０〜９０Ｈｚ、最も特に好ましくは実質的に７０〜８０Ｈｚであるように構成される。
【００８６】
振動数は、特に、充填物の量又は重さで決まる。特に、容器３Ａ内の充填量は、所望の振動数を達成するよう選択される。例えば重量を増大させて振動数に影響を及ぼすために、特定の投与分又は投与量の有効物質から始まって、追加の物質又は特定の物質の大部分を調剤に添加するのが良い。
【００８７】
吸入器は、好ましくは、振動の振幅が少なくとも１ｍｍ、特に実質的に２ｍｍ及び／又は１０ｍｍ未満、好ましくは６ｍｍ未満、特に４ｍｍ未満であるように構成される。
【００８８】
空気又は空気流Ｌのための入口１Ｂは、好ましくは、出口１Ａと反対側の側部に且つ／或いはキャリヤ３の自由端又はフィン５に隣接して配置される。
【００８９】
好ましくは、入口１Ｂ及び出口１Ａは、キャリヤ３に対して、キャリヤ３の長手方向に平行な主要な流れ方向が空気流について得られるように配置される。
【００９０】
特に、空気流Ｌがキャリヤ３又はフィン５に当たったときに入口１Ｂを通って流入する空気流Ｌの方向は、粉末含有空気流Ｐの主要流れ方向又は吸入器１の出口の主要方向若しくは主要送り出し方向に少なくとも実質的に平行であり、即ち、図１に示された記載では少なくとも実質的に水平である。
【００９１】
空気入口１Ｂは、好ましくは、２つのハウジング部品６Ａ，６Ｂ相互間に形成され又はこれら２つのハウジング部品によって形成される。
【００９２】
吸入器１又はそのハウジング６は、好ましくは、少なくとも実質的に段部のない状態で且つ／或いは直線をなしてキャリヤ３又はその容器３Ａから出口１Ａまで延びるフローチャンバ１Ｃを形成し、他方、フローチャンバ１Ｃの断面は、特に出口１Ａに向かって、図２に示されているように図示の実施形態ではキャリヤ３の主要な広がり方向又は主要な表面広がり方向に平行に減少するのが良く、その目的は、出口側にマウスピース又はマウスピース領域を形成することにある。しかしながら、他の設計上の解決手段も又、採用可能である。
【００９３】
特に好ましくは、キャリヤ３は、少なくとも実質的に、その自由端の付近のみが且つ／或いは平坦な側部のみが空気流を受ける。
【００９４】
キャリヤ３の振動Ｓを制限するため、吸入器１は、好ましくは、少なくとも１つの停止部、この特定の実施形態では、図１に示されているように２つ又は３つ以上の停止部８，９を有する。
【００９５】
図示の実施形態では、停止部８，９は、好ましくは、ハウジング６又はその壁によって形成される。しかしながら、他の設計上の解決手段も又、採用可能である。
【００９６】
停止部８，９は、振動中、キャリヤ３の振幅又は撓みを制限する。これは、規定された振動及びそれ故に調剤２の規定された送り出しに寄与する。
【００９７】
キャリヤ３又はそのキャリヤ要素若しくはベース要素３Ｂは、好ましくは、アルミニウムの複合材料、ポリアミド、ＰＶＣ又は封止ラッカー等から形成され又はこれから構成される。
【００９８】
ばね部分４は、同じ材料又は別の材料で構成できる。特に好ましくは、ばね部分４は、弾性プラスチック、特にポリカーボネートで作られる。
【００９９】
別個独立に達成することも可能な特に好ましい観点によれば、キャリヤ３又は容器３Ａは、図１に概略的に示されているように、カバー３Ｄへのキャリヤ要素又はベース要素３Ｂの縁３Ｃの特に又は少なくとも実質的に角（かど）のある移行部を有する。これは、この領域における鋭角の形成を阻止する。と言うのは、もしそのように構成しなければ、調剤２が望ましくない仕方で底に付着し又は堆積する場合があるからである。側壁若しくは縁３Ｃからカバー３Ｄへの好ましい少なくとも実質的に長方形の移行部は、事実、かかる堆積を妨げることができると共に／或いは調剤２の少なくとも実質的に完全な放出に寄与する。
【０１００】
通常、キャリヤ３又はそのキャリヤ要素若しくはベース要素３Ｂは、高温エンボス加工、吹き込み成形又は熱成形により厚手のフィルム、複合材料等から作られる。カバー３Ｄへの移行部のところに好ましくは角のある又は直角の縁３Ｃを作ることができるようにするためには、縁３Ｃをプラスチック射出成形によって作ることが好ましい。
【０１０１】
必要ならば互いに異なる容器３Ａから数個の投与分及び／又は互いに異なる調剤２を同時に送り出すことが理論上可能である。キャリヤ３は、この目的のため、例えば、オプションとして互いに異なる調剤２の入った複数個の容器３Ａを有するのが良い。この場合、容器３Ａの好ましくは平行な配置が好ましく、その結果、少なくとも実質的に同一の振動又は振動特性が達成されるようになる。しかしながら、他の形態も又、採用可能である。
【０１０２】
好ましくは提供される分散プロセス（空気流Ｌ中の調剤２の放出及び分散のためにキャリヤ３又は開かれた又は開いている容器３Ａを空気流Ｌ中で動かすこと）は種々の利点を有する。それにより、好ましくは粉末状の調剤２の粒子を良好に破砕した又はばらばらにした状態で極めて一様な分散を達成することが可能である。それにより、流量の相対的な独立性の実現が可能である。特に、調剤２の送り出し運動又は震動又は振動及びそれ故に送り出しは、好ましくは、１０又は２０Ｌ／ｍｉｎの流量又は流れ体積がいったん達成された場合にのみ始まる。さらに、ユーザによって知覚可能な音響信号を振動によって、即ち吸入中に生じさせることができる。
【０１０３】
他の図を参照して他の実施形態を以下に詳細に説明する。特に、本質的な相違点又は新たな観点のみについて詳細に説明する。したがって、上記コメント及び説明は、補完的に又は対応した仕方で依然として当てはまる。
【０１０４】
図３は、提案された吸入器１の第２の実施形態を図１に類似した詳細図で示している。
【０１０５】
第２の実施形態では、停止部８，９は、好ましくは、一方の側部上にのみ設けられている。
【０１０６】
第２の実施形態では、流れの方向において互いに前後に配置された孔、開口部又は穴３Ｅは、好ましくは、カバー３Ｄに設けられるのが良い。第２の実施形態では、開封装置２は、事実、流れ方向に次々に配置された複数個の穿通要素７Ａを有している。開封装置７は、かくして、好ましくは、複数個の開口部又は穴３Ｅを生じさせるよう設計されている。これは、キャリヤ３又は容器３Ａを特に良好に空にするのに寄与し又は調剤２の良好な又は全ての放出に寄与する。
【０１０７】
開封装置７は、好ましくは、開封装置７の手動作動のための作動要素７Ｂを有している。図示の実施形態では、吸入器１又はハウジング６は、好ましくは、隙間１Ｄを有し、作動要素７Ｂは、この隙間を通って外方に延びている。作動要素７Ｂを押し込むことによって、開封装置７を作動させることができ、そしてキャリヤ３又はカバー３Ｄを穿通要素７Ａによって開放し又は穿通することができる。
【０１０８】
好ましくは、開封装置７は、特に図３に示されている開始位置では少なくとも１つの穿通要素７Ａ及び作動要素７Ｂを弾性的に保持するばね要素７Ｃを有し、作動要素７Ｂを外部から押すことによって穿通要素７Ａをこの開始位置からキャリヤ３の近くに位置する位置（図３では下方に）動かすことができる。作動要素７Ｂを解除した後、ばね要素７Ｃによる好ましくは弾性回復により、開始位置に戻り、特に、隙間１Ｄが再び閉じられるようになる。
【０１０９】
しかしながら、他の設計上の解決手段も又、採用可能である。
【０１１０】
第２の実施形態では、ばね部分４がキャリヤ３又はそのキャリヤ要素３Ａ若しくはベース要素３Ｂとは異なる材料又は材料片で作られるということが概略的に示されている。
【０１１１】
フィン５も又、異なる材料又は材料片で作られるのが良い。この場合、フィン５は、好ましくは、キャリヤ又はそのキャリヤ要素若しくはベース要素３Ｂに依然として適切に連結される。
【０１１２】
次に、図４及び図５を参照して第３の実施形態について説明する。図４は、提案された吸入器１を図１に対応した断面図で示しており、キャリヤ３は、覆い具１０によって閉じられ又は覆われている。図５は、吸入器１を対応した断面で示しているが、覆い具１０は、取り外されている。
【０１１３】
第３の実施形態としての吸入器１は、好ましくは、容器３Ａ又はそのカバー３Ｄを覆う覆い具１０を有している。覆い具１０又は覆い具１０のカバー要素１０Ａをカバー３Ｄの１つ又は２つ以上の開口部又は穴３Ｅから引き離し又は取り外して容器３Ａを開くことができる。
【０１１４】
特に好ましくは、覆い具１０は、特にフィルム状のカバー要素１０Ａを有し、このフィルム状カバー要素は、図４に概略的に示されているようにキャリヤ３又は容器３Ａ又はカバー３Ｄ又はカバー３Ｄに設けられた開口部若しくは穴３Ｅを覆っている。かくして、図４は、閉鎖状態を示している。
【０１１５】
カバー要素１０Ａは、好ましくは折り返され、裏返しされ、又は折り曲げられている。
【０１１６】
覆い具１０のカバー要素１０Ａ及び／又はオプションとしてこのカバー要素１０Ａに設けられたグリップ要素１０Ｂは、好ましくは、吸入器１又はそのハウジング６、特に出口１Ａから突き出ている。
【０１１７】
カバー要素１０Ａ又はグリップ要素１０Ｂを引くことにより、カバー要素１０Ａを好ましくは引き離し又は取り外すことができる。これは、折り返しにより実施するのが特に容易である。と言うのは、カバー要素１０Ａは、事実上、曲げ又は折り返し部分の付近で引かれると、転がりながら離れ、かくしてキャリヤ３又はカバー３Ｄから取り除き又は引き離すのが比較的容易だからである。
【０１１８】
グリップ要素１０Ｂ又はカバー要素１０Ａは、好ましくは、ユーザに見やすい色又は信号カラー、特に赤色を呈している。したがって、ユーザが先ず最初にこれを引かなければならないこと、即ち、ユーザが吸入器１を使用することができる前にユーザが先ず最初にカバー要素１０Ａを取り外さなければならないことは、ユーザには直観的に明らかである。
【０１１９】
カバー要素１０Ａの離脱後又はカバー要素１０Ａ若しくは覆い具１０の取り外し後、容器３Ａ又は開口部若しくは穴３Ｅは、図５に示されているように開いており、その結果、吸入器を直接使用することができる。
【０１２０】
カバー３Ｄが穴３Ｅを１つしか備えない場合、これは、好ましくは、フィン５の近くに配置される。２つ又は３つ以上の穴３が設けられる場合、これら穴は、好ましくは、長手方向又は空気の流れ方向に見て互いに反対側の端領域に配置される。
【０１２１】
穴３Ｅを複数個設けることは、穴の閉塞が調剤２の噴霧化又は送り出しに対して極めて深刻な作用効果を及ぼさず又はこれに及ぼす作用効果が小さいという利点を有する。
【０１２２】
吸入器１又はキャリヤ３又はカバー３Ｄは、好ましくは、複数個の開口部又は穴３Ｅ、特に３乃至５個の開口部又は穴３Ｅを有する。
【０１２３】
開口部又は穴３Ｅは、好ましくは丸形であると共に／或いは好ましくは０．５〜３ｍｍ、特に実質的に１．０〜２．７ｍｍ、最も好ましくは約１．５ｍｍの直径を有する。
【０１２４】
穴３Ｅは、丸形である必要はなく、任意他の形状を取ることができ、例えば、これら穴は、特に特定の開放機構体に合うよう又は容器３Ａの形状に合うよう三角形であっても良い。
【０１２５】
特に提案例に従って形成された所定の又は規定された開口部又は穴３Ｅの形態は、調剤２又は調剤２の粉末粒子の規定された破砕及び送り出し、即ち噴霧化を達成するのを助ける。
【０１２６】
注目されるべきこととして、穴３Ｅを備えたカバー３Ｄは、特に特定の用途に応じて有効物質と適合性のある任意の材料、例えばプラスチック、紙等から、オプションとして、金属又は金属箔でも形成できる。
【０１２７】
カバー３Ｄは又、例えば容器３Ａ中に挿入された格子状要素等によってインサートとして構成されても良く且つ／或いはカバー要素１０Ａを含む組立体を形成しても良い。特に好ましくは、カバー３Ｄ及びカバー要素１０Ａは、２つの重ね合わされたフィルム又は層によって形成され、カバー３Ｄは、特に、有孔構造体を含み、カバー要素１０Ａは、その非開放状態では調剤２のために水分が入らないようにする保護手段としての役目を果たす。
【０１２８】
この場合、調剤２のための保持チャンバ又は容器３Ａの水分に対する封止は、好ましくは、カバーフィルム、この場合、特にカバー１０Ａの受け持ちとなる。
【０１２９】
しかしながら、代替的に又は追加的に、吸入器１全体を例えば外側ラッピング材、箔包装材等（図示せず）によって水分が入らないよう保護されても良い。
【０１３０】
図示の吸入器１は、好ましくは、１回使用向きの使い捨て吸入器として具体化されている。しかしながら、吸入器１は、理論的には、多数回使用向きに具体化されても良い（カバー３Ｄの構成とは別個独立に又は穿通又は引き裂きによる開口部とは別個独立に）。この場合、キャリヤ３は、例えば交換可能であるのが良い。変形例として、吸入器１は、オプションとして、多数個のキャリヤ３及び／又は容器３Ａを収容しても良く、これらキャリヤ及び／又は容器は、調剤２の１回又は２回以上の投与分を単独で又は互いに別個独立に送り出すことができるようにするために個々に又は互いに別個独立に開放可能である。
【０１３１】
互いに異なる実施形態の個々の特徴及び観点を所望に応じて互いに組み合わせることも又可能であるが、別個独立に具体化されても良く、或いは、他の吸入器設計例で使用されても良い。
【０１３２】
本発明は、吸入器には限定されず、他のネブライザにおいて対応した仕方で使用できる。したがって、「吸入器」という用語は、好ましくは、特に医療目的又は他の治療目的の他のディスペンサ又はネブライザを含むものとして広義に理解されるべきである。
【符号の説明】
【０１３３】
１  吸入器
１Ａ  出口
１Ｂ  入口
１Ｃ  フローチャンバ
１Ｄ  開口部
２  調剤
３  キャリヤ
３Ａ  容器
３Ｂ  ベース要素
３Ｃ  縁
３Ｄ  カバー
３Ｅ  穴
４  ばね部分
４Ａ  ばねバー
４Ｂ  スロット
５  フィン
６  ハウジング
６Ａ  下側部品
６Ｂ  上側部品
７  開封装置
７Ａ  穿通要素
７Ｂ  作動要素
７Ｃ  ばね要素
８  停止部
９  停止部
１０  覆い具
１０Ａ  カバー要素
１０Ｂ  グリップ要素
Ａ  軸線
Ｌ  空気流
Ｐ  粉末流
Ｓ  振動
【図１】
2018167076.tif 000003
【図２】
2018167076.tif 000004
【図３】
2018167076.tif 000005
【図４】
2018167076.tif 000006
【図５】
2018167076.tif 000007
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
調剤（２）の吸入のための吸入器（１）であって、
第１の端部に入口（１Ｂ）を有し、反対側の第２の端部に出口（１Ａ）を有する、ハウジング（６）と、
ストリップ及び／又はブリスタの形態をしたキャリヤ（３）を備え、
前記キャリヤ（３）は初期位置において、前記ハウジング内で前記ハウジング（６）の前記第１の端部と前記第２の端部との間を、前記吸入器（１）の長軸に沿って長手方向に延び、
前記キャリヤ（３）は、自由端と、反対側の端と、前記自由端と前記反対側の端の間に位置し、ばね弾性によって変形可能なばね部分（４）と、を備え、
前記キャリヤ（３）は、少なくとも前記キャリヤ（３）が初期位置にあるときに、前記キャリヤ（３）の前記自由端から前記長軸に対して斜めに延びる、斜めのフィン（５）を有し、
前記キャリヤ（３）の前記反対側の端は前記ハウジング（６）に接続され、前記入口を通って流入する空気流（Ｌ）が、前記キャリヤ（３）の長軸と平行に前記ハウジング（６）に入り、前記斜めのフィン（５）に当たって、前記キャリヤ（３）の前記自由端の前記長軸に対する横方向運動を生じさせ、
前記空気流（Ｌ）が前記ハウジング（６）を通って流れるとき、前記キャリヤ（３）は、前記ばね部分（４）の前記ばね弾性によって振動状態（Ｓ）となる、吸入器（１）。
【請求項２】
前記ばね部分（４）は、前記空気流（Ｌ）の存在時に、前記キャリヤ（３）が前記空気流（Ｌ）に対して直角に動くことを許容するが、前記初期位置に向けて戻すように付勢する、請求項１記載の吸入器（１）。
【請求項３】
前記キャリヤ（３）は、前記ばね部分（４）の領域に位置する、前記長軸に対して垂直な軸線（Ａ）の周りに、回転又は動くことができる、請求項１又は２記載の吸入器（１）。
【請求項４】
前記ばね部分（４）は、互いに平行にかつ前記長軸に平行に延びる２本のばねバー（４Ａ）を含む、請求項１〜３のうちいずれか一に記載の吸入器（１）。
【請求項５】
前記ばね部分（４）は、葉状片の形態をしていると共に、前記長軸に平行に延びる長手方向スロット（４Ｂ）の形態の開口部を有する、請求項１〜４のうちいずれか一に記載の吸入器（１）。
【請求項６】
前記キャリヤ（３）は、前記ばね部分（４）と反対側の前記自由端からのみ前記空気流（Ｌ）の衝撃を受けることができ、及び／又は
前記空気流（Ｌ）は、前記キャリヤ（３）の平べったい側部に平行にのみ且つ／或いは前記キャリヤ（３）の平べったい側部上でのみ、前記キャリヤ（３）に沿って流れる、請求項１〜５のうちいずれか一に記載の吸入器（１）。
【請求項７】
前記空気流（Ｌ）が当たる前記斜めのフィン（５）は、前記吸入器（１）の前記入口（１Ｂ）に隣接して設けられている、請求項１〜６のうちいずれか一に記載の吸入器（１）。
【請求項８】
前記キャリヤ（３）と前記入口（１Ｂ）は、前記キャリヤ（３）の長軸に平行な前記空気流（Ｌ）によって前記キャリヤ（３）が衝撃を受けるように、配置されている、請求項１〜７のうちいずれか一に記載の吸入器（１）。
【請求項９】
前記キャリヤ（３）は、前記調剤（２）の入った保持チャンバ（３Ａ）を有し、前記吸入器（１）は、前記保持チャンバ（３Ａ）を開く開封装置（７）を有する、請求項１〜８のうちいずれか一に記載の吸入器（１）。
【請求項１０】
前記開封装置（７）は、前記ハウジング（６）の手動で変形可能な壁によって形成されると共に／或いは弾性的に取り付けられた少なくとも１つの穿通要素（７Ａ）を含む、請求項９記載の吸入器（１）。
【請求項１１】
前記吸入器（１）は、前記キャリヤ（３）の前記振動状態（Ｓ）を制限する少なくとも１つの停止部（８，９）を有し、前記少なくとも１つの停止部（８，９）は、前記吸入器（１）の前記ハウジング（６）内に形成されている、請求項１〜１０のうちいずれか一に記載の吸入器（１）。
【請求項１２】
前記キャリヤ（３）は、前記調剤（２）のための容器（３Ａ）を形成するベース要素（３Ｂ）と、前記容器（３Ａ）上のカバー（３Ｄ）を備え、前記カバー（３Ｄ）は、少なくとも部分的に覆い具（１０）によって覆われ、前記覆い具（１０）は、続く前記調剤（２）の計量投与のために前記キャリヤ（３）又は前記カバー（３Ｄ）を開くよう手動で開放でき又は取り外し可能である、請求項１〜１１のうちいずれか一に記載の吸入器（１）。
【請求項１３】
前記覆い具（１０）は、
前記ハウジング（６）の前記出口（１Ａ）に最も近い前記ベース要素（３Ｂ）の第１の縁部に結合された第１の端部を有するカバー要素（１０Ａ）であって、前記入口（１Ｂ）に向けて、前記カバー（３Ｄ）及び前記容器（３Ａ）を超え、前記入口（１Ｂ）に最も近い前記ベース要素（３Ｂ）の第２の反対側の端部を過ぎて延びる、カバー要素（１０Ａ）と、
前記ベース要素（３Ｂ）の前記第２の反対側の端部から、前記カバー要素（１０Ａ）、前記カバー（３Ｄ）及び前記容器（３Ａ）の上を戻り、そして前記出口（１Ａ）を通って外へと延びる、前記カバー要素（１０Ａ）の折り返し部分と、
前記出口（１Ａ）を通って前記カバー要素（１０Ａ）を外に引き出して前記カバー（３Ｄ）を引き離すため、前記覆い具（１０）に設けられたグリップ要素（１０Ｂ）を備える、請求項１２記載の吸入器（１）。
【請求項１４】
前記吸入器（１）はさらに、前記出口（１Ａ）の付近に形成されるマウスピースを備え、前記グリップ要素（１０Ｂ）は、前記カバー要素（１０Ａ）を前記出口（１Ａ）を通って及び前記マウスピースを通って外に引き出すために、前記マウスピース及び前記出口（１Ａ）から突き出ている、請求項１３記載の吸入器（１）。
【請求項１５】
前記カバー（３Ｄ）は、前記容器（３Ａ）と連通する複数個の穴（３Ｅ）を有し、該穴（３Ｅ）は、前記キャリヤ（３）が閉じられるとき、前記覆い具（１０）によって覆われる、請求項１２〜１４のうちいずれか一に記載の吸入器（１）。
【請求項１６】
前記吸入器（１）は、前記キャリヤ（３）が前記ハウジング（６）内に収納された１回使用型吸入器である、請求項１〜１５のうちいずれか一に記載の吸入器（１）。
【請求項１７】
前記ばね部分（４）は、前記キャリヤ（３）の主要な平面内で、又はこれに平行な平面内で延びる、請求項１〜１６のうちいずれか一に記載の吸入器（１）。
【外国語明細書】
2018167076000001.pdf